(57)【特許請求の範囲】
【請求項１】
トラック単位の音楽信号と、トラックナンバを含む制御信号が所定のフォーマットで伝送される伝送信号を入力し、音楽信号と制御信号を分けて出力する入力手段と、
音楽信号を所定の記録媒体に録音させる録音手段と、
入力手段から出力された制御信号中のトラックナンバの変化を検出する検出手段と、
録音指示操作を行う操作手段と、
操作手段で録音指示操作がされたあと、検出手段でトラックナンバの変化が検出されると、録音手段を制御して録音を開始させる制御手段と、
を備えたことを特徴とする録音装置。
【請求項２】
トラック単位でかつ各トラックがインデックス単位に分けられた音楽信号と、インデックスナンバを含む制御信号が所定のフォーマットで伝送される伝送信号を入力し、音楽信号と制御信号を分けて出力する入力手段と、  音楽信号を所定の記録媒体に録音させる録音手段と、
入力手段から出力された制御信号中のインデックスナンバの変化を検出する検出手段と、
録音指示操作を行う操作手段と、
操作手段で録音指示操作がされたあと、検出手段でインデックスナンバの変化が検出されると、録音手段を制御して録音を開始させる制御手段と、
を備えたことを特徴とする録音装置。
【請求項３】
トラック単位の音楽信号と、トラックナンバを含む制御信号が所定のフォーマットで伝送される伝送信号を入力し、音楽信号と制御信号を分けて出力する入力手段と、
音楽信号を所定の記録媒体に録音させる録音手段と、
入力手段から出力された制御信号中のトラックナンバの変化を検出する検出手段と、
録音指示操作と録音停止指示操作を行う操作手段と、
操作手段で録音指示操作がされたあと、検出手段でトラックナンバの変化が検出されると、録音手段を制御して録音を開始させ、操作手段で録音停止指示操作がされたあと、検出手段でトラックナンバの変化が検出されると、録音手段を制御して録音を停止させる制御手段と、
を備えたことを特徴とする録音装置。
【請求項４】
トラック単位でかつ各トラックがインデックス単位に分けられた音楽信号と、インデックスナンバを含む制御信号が所定のフォーマットで伝送される伝送信号を入力し、音楽信号と制御信号を分けて出力する入力手段と、  音楽信号を所定の記録媒体に録音させる録音手段と、
入力手段から出力された制御信号中のインデックスナンバの変化を検出する検出手段と、
録音指示操作と録音停止指示操作を行う操作手段と、
操作手段で録音指示操作がされたあと、検出手段でインデックスナンバの変化が検出されると、録音手段を制御して録音を開始させ、操作手段で録音停止指示操作がされたあと、検出手段でインデックスナンバの変化が検出されると、録音手段を制御して録音を停止させる制御手段と、
を備えたことを特徴とする録音装置。
【請求項５】
トラック単位の音楽信号と、トラックナンバを含む制御信号が所定のフォーマットで伝送される伝送信号を入力し、音楽信号と制御信号を分けて出力する入力手段と、
音楽信号を所定の記録媒体に録音させる録音手段と、
入力手段から出力された制御信号中のトラックナンバの変化を検出する検出手段と、
録音指示操作と録音一時停止指示操作を行う操作手段と、
操作手段で録音指示操作がされたあと、検出手段でトラックナンバの変化が検出されると、録音手段を制御して録音を開始させ、操作手段で録音一時停止指示操作がされたあと、検出手段でトラックナンバの変化が検出されると、録音手段を制御して録音を一時停止させる制御手段と、
を備えたことを特徴とする録音装置。
【請求項６】
トラック単位でかつ各トラックがインデックス単位に分けられた音楽信号と、インデックスナンバを含む制御信号が所定のフォーマットで伝送される伝送信号を入力し、音楽信号と制御信号を分けて出力する入力手段と、  音楽信号を所定の記録媒体に録音させる録音手段と、
入力手段から出力された制御信号中のインデックスナンバの変化を検出する検出手段と、
録音指示操作と録音一時停止指示操作を行う操作手段と、
操作手段で録音指示操作がされたあと、検出手段でインデックスナンバの変化が検出されると、録音手段を制御して録音を開始させ、操作手段で録音一時停止指示操作がされたあと、検出手段でインデックスナンバの変化が検出されると、録音手段を制御して録音を一時停止させる制御手段と、
を備えたことを特徴とする録音装置。
【発明の詳細な説明】
【０００１】
【発明の属する技術分野】
本発明は録音装置に係り、とくに、音楽ソースから、トラック単位（トラック単位でかつインデックス単位）に分けられた音楽信号と、トラックナンバ（インデックスナンバ）を含む制御信号が所定のフォーマットで伝送される伝送信号を入力して所定の記録媒体に録音を行う録音装置に関する。
【０００２】
【従来の技術】
例えば、ＣＤプレーヤで再生した所望曲の音楽信号をＭＤ（ミニディスク）レコーダなどの録音装置で録音する場合、まず、録音装置でＲＥＣキーとＰＡＵＳＥキーを同時押しして録音待機状態（録音ポーズ状態）としておき、ＣＤプレーヤで所望曲の先頭の少し前から再生を開始させ、所望曲の先頭位置に来たところで録音装置のＲＥＣキーを押すかＰＡＵＳＥキーを押して録音待機状態を解除し、録音を開始させる。そして、その後ＣＤプレーヤ側で所望曲の最後まで再生が進んだ所で録音装置のＳＴＯＰキーを押し、録音を停止させればよい。けれども、所望曲の先頭位置で録音を開始させたり、所望曲の最終位置で録音を停止させる操作が面倒である。
【０００３】
このため、ＭＤレコーダなどの録音装置の中には、自動録音開始機能や自動録音停止機能を備えたものがある。前者の機能は、例えば、録音装置のＲＥＣキーとＰＡＵＳＥキーを同時押しして録音待機状態にセットしたあと、ＣＤプレーヤ側で録音したい曲の少し前の無音部分から再生させると、録音装置が音楽信号のレベルを判別し、所定の基準レベルを一定時間以上越えたところで曲の開始ポイントと判断し、自動的に録音待機状態から録音状態に移行させるものである。後者の機能は、録音中の音楽信号のレベルを判別し、所定の基準レベルを一定時間以上下回ったところで曲の終了ポイントと判断し、自動的に録音停止状態に移行させるものである。
【０００４】
【発明が解決しようとする課題】
けれども、前記自動録音開始機能では、所望曲が最初静かな演奏で始まるとき、所望曲の先頭を過ぎてもなかなか音楽信号のレベルが基準レベルを越えず、頭切れした状態で録音されてしまう問題があった。
また、後者の自動録音停止機能では、所望曲の最後と次の曲の先頭までの無音部分の期間が短かったり、無音レベルが高かったりしたとき、録音が停止されずに次の曲まで録音してしまう問題があった。
本発明は上記した従来技術の問題に鑑み、所望曲の開始ポイントで正確に録音を開始させることのできる録音装置を提供することを、その目的とする。
また、所望曲の終了ポイントで正確に録音を停止または一時停止させることのできる録音装置を提供することを、その目的とする。
【０００５】
【課題を解決するための手段】
本発明の請求項１記載の録音装置では、トラック単位の音楽信号と、トラックナンバを含む制御信号が所定のフォーマットで伝送される伝送信号を入力し、音楽信号と制御信号を分けて出力する入力手段と、音楽信号を所定の記録媒体に録音させる録音手段と、入力手段から出力された制御信号中のトラックナンバの変化を検出する検出手段と、録音指示操作を行う操作手段と、操作手段で録音指示操作がされたあと、検出手段でトラックナンバの変化が検出されると、録音手段を制御して録音を開始させる制御手段と、を備えたことを特徴としている。
請求項１の装置によれば、ソース側より所望トラックの１つ前のトラックの部分の伝送信号が入力されている状態で、録音指示操作をすれば、丁度、所望トラックに変わった所から録音を開始させることができ、所望トラックの先頭に静かな演奏部分が存在しても所望トラックの開始ポイントから正しく録音可能となる。
本発明の請求項２記載の録音装置では、トラック単位でかつインデックス単位に分けられた音楽信号と、インデックスナンバを含む制御信号が所定のフォーマットで伝送される伝送信号を入力し、音楽信号と制御信号を分けて出力する入力手段と、音楽信号を所定の記録媒体に録音させる録音手段と、入力手段から出力された制御信号中のインデックスナンバの変化を検出する検出手段と、録音指示操作を行う操作手段と、操作手段で録音指示操作がされたあと、検出手段でインデックスナンバの変化が検出されると、録音手段を制御して録音を開始させる制御手段と、を備えたことを特徴としている。
請求項２の装置によれば、ソース側より所望トラックの最初のインデックスの１つ前のインデックスの部分の伝送信号が入力されている状態で、録音指示操作をすれば、丁度、所望トラックの最初のインデックスに変わった所から録音を開始させることができ、所望トラックの先頭に静かな演奏部分が存在しても所望トラックの開始ポイントから正しく録音可能となる。
本発明の請求項３記載の録音装置では、トラック単位の音楽信号と、トラックナンバを含む制御信号が所定のフォーマットで伝送される伝送信号を入力し、音楽信号と制御信号を分けて出力する入力手段と、音楽信号を所定の記録媒体に録音させる録音手段と、入力手段から出力された制御信号中のトラックナンバの変化を検出する検出手段と、録音指示操作と録音停止指示操作を行う操作手段と、操作手段で録音指示操作がされたあと、検出手段でトラックナンバの変化が検出されると、録音手段を制御して録音を開始させ、操作手段で録音停止指示操作がされたあと、検出手段でトラックナンバの変化が検出されると、録音手段を制御して録音を停止させる制御手段と、を備えたことを特徴としている。
請求項３記載の装置によれば、ソース側より所望トラックの１つ前のトラックの部分の伝送信号が入力されている状態で、録音指示操作をすれば、丁度、所望トラックに変わった所から録音を開始させることができ、所望トラックの先頭に静かな演奏部分が存在しても所望トラックの開始ポイントから正しく録音可能となる。また、所望トラックの録音途中で録音停止指示操作をすれば、丁度、所望トラックから次のトラックに変わった所で録音を停止させることができ、所望トラックの最後と次のトラックの間の無音部分の期間が短かったり、無音レベルが高かっても、所望トラックの終了ポイントで正しく録音を停止することが可能となる。
本発明の請求項４記載の録音装置では、トラック単位でかつインデックス単位に分けられた音楽信号と、インデックスナンバを含む制御信号が所定のフォーマットで伝送される伝送信号を入力し、音楽信号と制御信号を分けて出力する入力手段と、音楽信号を所定の記録媒体に録音させる録音手段と、入力手段から出力された制御信号中のインデックスナンバの変化を検出する検出手段と、録音指示操作と録音停止指示操作を行う操作手段と、操作手段で録音指示操作がされたあと、検出手段でインデックスナンバの変化が検出されると、録音手段を制御して録音を開始させ、操作手段で録音停止指示操作がされたあと、検出手段でインデックスナンバの変化が検出されると、録音手段を制御して録音を停止させる制御手段と、を備えたことを特徴としている。
請求項４記載の装置によれば、ソース側より所望トラックの最初のインデックスの１つ前のインデックスの部分の伝送信号が入力されている状態で、録音指示操作をすれば、丁度、所望トラックの最初のインデックスに変わった所から録音を開始させることができ、所望トラックの先頭に静かな演奏部分が存在しても所望トラックの開始ポイントから正しく録音可能となる。また、所望トラックの最後のインデックスの録音途中で録音停止指示操作をすれば、丁度、所望トラックの最後のインデックスから次のトラックの最初のインデックスに変わった所で録音を停止させることができ、所望トラックの最後と次のトラックの間の無音部分の期間が短かったり、無音レベルが高かっても、所望トラックの終了ポイントで正しく録音を停止することが可能となる。
本発明の請求項５記載の録音装置では、トラック単位の音楽信号と、トラックナンバを含む制御信号が所定のフォーマットで伝送される伝送信号を入力し、音楽信号と制御信号を分けて出力する入力手段と、音楽信号を所定の記録媒体に録音させる録音手段と、入力手段から出力された制御信号中のトラックナンバの変化を検出する検出手段と、録音指示操作と録音一時停止指示操作を行う操作手段と、操作手段で録音指示操作がされたあと、検出手段でトラックナンバの変化が検出されると、録音手段を制御して録音を開始させ、操作手段で録音一時停止指示操作がされたあと、検出手段でトラックナンバの変化が検出されると、録音手段を制御して録音を一時停止させる制御手段と、を備えたことを特徴としている。
請求項５記載の装置によれば、ソース側より所望トラックの１つ前のトラックの部分の伝送信号が入力されている状態で、録音指示操作をすれば、丁度、所望トラックに変わった所から録音を開始させることができ、所望トラックの先頭に静かな演奏部分が存在しても所望トラックの開始ポイントから正しく録音可能となる。また、所望トラックの録音途中で録音一時停止指示操作をすれば、丁度、所望トラックから次のトラックに変わった所で録音を一時停止させることができ、所望トラックの最後と次のトラックの間の無音部分の期間が短かったり、無音レベルが高かっても、所望トラックの終了ポイントで正しく録音を一時停止させることが可能となる。
本発明の請求項６記載の録音装置では、トラック単位でかつインデックス単位に分けられた音楽信号と、インデックスナンバを含む制御信号が所定のフォーマットで伝送される伝送信号を入力し、音楽信号と制御信号を分けて出力する入力手段と、音楽信号を所定の記録媒体に録音させる録音手段と、入力手段から出力された制御信号中のインデックスナンバの変化を検出する検出手段と、録音指示操作と録音一時停止指示操作を行う操作手段と、操作手段で録音指示操作がされたあと、検出手段でインデックスナンバの変化が検出されると、録音手段を制御して録音を開始させ、操作手段で録音一時停止指示操作がされたあと、検出手段でインデックスナンバの変化が検出されると、録音手段を制御して録音を一時停止させる制御手段と、を備えたことを特徴としている。
請求項６記載の装置によれば、ソース側より所望トラックの最初のインデックスの１つ前のインデックスの部分の伝送信号が入力されている状態で、録音指示操作をすれば、丁度、所望トラックの最初のインデックスに変わった所から録音を開始させることができ、所望トラックの先頭に静かな演奏部分が存在しても所望トラックの開始ポイントから正しく録音可能となる。また、所望トラックの最後のインデックスの録音途中で録音一時停止指示操作をすれば、丁度、所望トラックの最後のインデックスから次のトラックの最初のインデックスに変わった所で録音を一時停止させることができ、所望トラックの最後と次のトラックの間の無音部分の期間が短かったり、無音レベルが高かっても、所望トラックの終了ポイントで正しく録音を一時停止させることが可能となる。
【０００６】
【発明の実施の形態】
次に、図１を参照して本発明の一つの実施の形態を説明する。
図１は本発明に係る録音システムの構成を示すブロック図である。
１はＣＤ（コンパクトディスク）であり、プログラム領域にディジタル音楽信号がトラック単位（曲単位）に分けて記録されており、各トラックは更にインデックス単位に分けられている（図２参照）。ＣＤ１にはディジタル音楽信号と一緒に、トラックナンバ（曲番）、インデックスナンバ、ディスク上の絶対的な位置を示す絶対時間Ａ−ｔｉｍｅ（Ａｂｓｏｌｕｔｅ  −ｔｉｍｅ）及び同一トラック内での先頭ポイントからの相対的な位置を示す演奏経過時間Ｐ−ｔｉｍｅ（Ｐｒｏｇｒａｍｍｅ−ｔｉｍｅ）を含む制御信号（サブコードＱチャンネルデータなど）が多重記録されている。通常、トラックナンバとインデックスナンバは０１から始まり、最大で９９まで許される。
【０００７】
２はＣＤ１を再生するＣＤプレーヤであり、再生中、ディジタル出力端子Ｄ−ＯＵＴ  からは、ディジタル音楽信号と、チャネルステータスビット（Ｃビット）やユーザビット（Ｕビット）を含む制御信号とが所定のフレーム構成にフォーマットされた伝送信号（ディジタルオーディオインタフェース信号）が出力される。所定フレーム数分のチャネルステータスビットの集まりによりチャネルステータスデータが構成され、この中には再生媒体がＣＤ、ＭＤなどのどのタイプかを示すカテゴリー情報が含まれている。また、所定フレーム数分のユーザビットの集まりによりユーザデータが構成され、このユーザデータの中にはトラックナンバ、インデックスナンバが含まれている。
【０００８】
３は録再兼用のＭＤ（ミニディスク）であり、ディジタル音楽信号をトラック単位で記録可能である。４はＭＤ３にディジタル音楽信号を記録させるＭＤレコーダであり、ディジタル入力端子Ｄ−ＩＮがＣＤプレーヤ２のディジタル出力端子Ｄ−ＯＵＴ  と同軸ケーブル５により接続されている。ＭＤレコーダ４の内、６はＣＤプレーヤ２から伝送信号を入力し、該伝送信号中のディジタル音楽信号及び制御信号のチャネルステータスビット（Ｃビット）とユーザビット（Ｕビット）を分けて出力するディジタルオーディオインタフェース部、７は後述するコントロール部の指示に従い、ディジタル音楽信号を圧縮しながらＭＤ３の空き領域に光磁気記録させることで録音を行う記録部である。
【０００９】
８はチャネルステータスビットを入力してチャネルステータスデータを復調するとともに、カテゴリー情報を判別して出力するチャネルステータス復調・判別部、９はユーザビットを入力してユーザデータを復調するとともにトラックナンバ、インデックスナンバを判別して出力するユーザデータ復調・判別部、１０は通常の録音用のＲＥＣ  キー、一時停止用のＰＡＵＳＥ  キー、停止用のＳＴＯＰキーのほか、自動録音用のＡＵＴＯ−ＲＥＣキー、自動一時停止用のＡＵＴＯ−ＰＡＵＳＥキー、自動停止用のＡＵＴＯ−ＳＴＯＰ  キー等を有するキー操作部である。１１はマイコン構成のコントロール部であり、ユーザのキー操作とチャネルステータス復調・判別部８及びユーザデータ復調・判別部９の出力に基づき記録部７を制御し、ユーザ所望トラックを正確に録音させる。
【００１０】
具体的には、停止状態又は録音待機状態（録音一時停止状態；ＲＥＣ  ＰＡＵＳＥ）でＲＥＣ  キーが押されて録音が指示されると、直ぐに記録部７を制御してＭＤ４の空き領域に直ちに録音を開始させ、録音動作中にＰＡＵＳＥ  キーが押されて一時停止が指示されると、直ぐに記録部７を制御して現在位置で一時停止させて録音待機状態とし、再度ＰＡＵＳＥ  キーが押されると、記録部７を制御して録音動作を再開させ、録音動作中にＳＴＯＰキーが押されると直ぐに記録部７を制御して録音停止させる。
【００１１】
また、停止状態又は録音待機状態でＡＵＴＯ−ＲＥＣキーが押されて自動録音が指示されると、チャネルステータス復調・判別部８で判別したカテゴリー情報がＣＤ又はＭＤであれば、ユーザデータ復調・判別部９が判別したトラックナンバとインデックスナンバを監視し、いずれかが変化した時点で記録部７を制御してＭＤ４の空き領域に録音を開始させる。録音動作中にＡＵＴＯ−ＳＴＯＰ  キーが押されて自動停止が指示されると、チャネルステータス復調・判別部８で判別したカテゴリー情報がＣＤ又はＭＤであれば、ユーザデータ復調・判別部９が判別したトラックナンバとインデックスナンバを監視し、いずれかが変化した時点で記録部７を制御して録音を停止させる。録音動作中にＡＵＴＯ−ＰＡＵＳＥキーが押されて自動一時停止が指示されると、チャネルステータス復調・判別部８で判別したカテゴリー情報がＣＤ又はＭＤであれば、ユーザデータ復調・判別部９が判別したトラックナンバとインデックスナンバを監視し、いずれかが変化した時点で記録部７を制御して一時停止させて録音待機状態とする。
【００１２】
次に、上記した実施の形態の動作を図２〜図５を参照して説明する。図２は録音動作の説明図、図３〜図５はコントロール部１１の録音制御処理を示すフローチャートである。
（１）録音準備
例えば、図２に示す如きトラックナンバ０１から０５まで５曲入りのＣＤ１のトラックナンバ０２と０４をＭＤ３に録音したい場合、ＣＤプレーヤ２でＣＤ１のトラックナンバ０１のトラックの先頭から若しくは途中から再生を開始させる。ＣＤプレーヤ２からはＣＤ１から再生したトラックナンバ０１のディジタル音楽信号と、チャネルステータスビット（Ｃビット）及びユーザビット（Ｕビット）を含む制御信号とが所定のフレーム構成にフォーマットされた伝送信号が同軸ケーブル５を介してＭＤレコーダ４に伝送される。
【００１３】
ＭＤレコーダ４のディジタルオーディオインタフェース部６はＣＤプレーヤ２からの伝送信号を入力し、ディシタル音楽信号と制御信号に分け、前者のディジタル音楽信号を記録部７に出力し、後者の内、チャネルステータスビットをチャネルステータス復調・判別部８に出力し、ユーザビットをユーザデータ復調・判別部９に出力する。チャネルステータス復調・判別部８はチャネルステータスビットを入力してチャネルステータスデータを復調し、この内のカテゴリー情報を判別してコントロール部１１に出力し、ユーザデータ復調・判別部９はユーザビットを入力してユーザデータを復調し、この内のトラックナンバ、インデックスナンバを判別してコントロール部１１へ出力する。
【００１４】
（２）自動録音開始（図２（１）参照）
上記の如くしてＣＤ１の所望トラックの１つ前のトラックを再生させている間に、最後のインデックス（インデックスナンバ＝０２）の再生が始まったならば、ＭＤレコーダ４のキー操作部１０でＡＵＴＯ−ＲＥＣキーを押し、自動録音開始を指示する。すると、コントロール部１１は現在停止中なので、まずチャネルステータス復調・判別部８から出力されているカテゴリー情報がＣＤまたはＭＤかチェックする（図３のステップＳ１〜Ｓ４）。ＮＯであれば無視するが、ここではＹＥＳなので、その時点でユーザデータ復調・判別部９から出力されているトラックナンバとインデックスナンバを読み取り、各々内蔵メモリ（図示せず）にＴＮＯ（０）、ＩＮＤＥＸ−ＮＯ（０）として書き込み登録する（ステップＳ５）。
【００１５】
そして、以降、ユーザデータ復調・判別部９から出力されるトラックナンバとインデックスナンバを読み取り、ＴＮＯ（１）、ＩＮＤＥＸ−ＮＯ（１）とする処理と（ステップＳ６）、ＴＮＯ（０）≠ＴＮＯ（１）かまたはＩＮＤＥＸ−ＮＯ（０）≠ＩＮＤＥＸ−ＮＯ（１）が成立するかチェックする処理を繰り返す（ステップＳ７）。ＣＤ１のトラックナンバ０１のトラックのインデックスナンバ０２のインデックスの再生中は、ステップＳ７の条件が成立しないためステップＳ６、Ｓ７を繰り返す。
【００１６】
その後、ＣＤ１のトラックナンバ０１のトラックのインデックスナンバ０２のインデックスの再生が終わり、トラックナンバ０２のトラックの最初のインデックスの再生が始まると、ユーザデータ復調・判別部９から出力されるトラックナンバとインデックスナンバがそれぞれ０２と０１に変わるので、コントロール部１１は、ステップＳ７でＹＥＳと判断し、記録部７を制御してディジタルオーディオインタフェース部６で取り出されたディジタル音楽信号のＭＤ３の空き領域への記録を開始させる（ステップＳ８）。これにより、ユーザ所望トラックの先頭から頭切れすることなく自動的に録音を開始できる（図２（１）参照）。
【００１７】
（３）自動録音停止（図２（１）参照）
録音中、コントロール部１１はキー操作部１０でキー操作がされたか繰り返しチェックする（ステップＳ９、図４のステップＳ２０、図５のステップＳ４０〜Ｓ４２）。ＣＤ１の再生が進み、ＣＤ１の所望トラック（ここではトラックナンバ＝０２）を再生させている間に、最後のインデックス（インデックスナンバ＝０３）の再生が始まったならば、ＭＤレコーダ４のキー操作部１０でＡＵＴＯ−ＳＴＯＰ  キーを押し、自動録音停止を指示する。すると、コントロール部１１は現在録音中なので、まずチャネルステータス復調・判別部８から出力されているカテゴリー情報がＣＤまたはＭＤかチェックする（図３のステップＳ９、Ｓ１０、Ｓ１１）。ＮＯであれば無視するが、ここではＹＥＳなので、その時点でユーザデータ復調・判別部９から出力されているトラックナンバとインデックスナンバを読み取り、各々内蔵メモリにＴＮＯ（０）、ＩＮＤＥＸ−ＮＯ（０）として書き込み登録する（ステップＳ１２）。
【００１８】
そして、以降、ユーザデータ復調・判別部９から出力されるトラックナンバとインデックスナンバを読み取り、ＴＮＯ（１）、ＩＮＤＥＸ−ＮＯ（１）とする処理と（ステップＳ１３）、ＴＮＯ（０）≠ＴＮＯ（１）かまたはＩＮＤＥＸ−ＮＯ（０）≠ＩＮＤＥＸ−ＮＯ（１）が成立するかチェックする処理を繰り返す（ステップＳ１４）。ＣＤ１のトラックナンバ０２のトラックのインデックスナンバ０３のインデックスの再生中は、ステップＳ１４の条件が成立しないためステップＳ１３、Ｓ１４を繰り返す。
【００１９】
その後、ＣＤ１のトラックナンバ０２のトラックのインデックスナンバ０３のインデックスの再生が終わり、トラックナンバ０３のトラックの最初のインデックスの再生が始まると、ユーザデータ復調・判別部９から出力されるトラックナンバとインデックスナンバがそれぞれ０３と０１に変わるので、コントロール部１１は、ステップＳ１４でＹＥＳと判断し、記録部７を制御して記録動作を停止させ、録音を停止する（ステップＳ１５）。これにより、ユーザ所望のトラックの丁度最後の所まで自動的に録音し、次のトラックの先頭部分は入らないようにできる（図２（１）参照）。
【００２０】
このあと、ＣＤ１のトラックナンバ０３のトラックのインデックスナンバ０３のインデックスの再生中に、ＡＵＴＯ−ＲＥＣキーを押せば前述と同様にしてコントロール部１１はユーザデータ復調・判別部９から出力されるトラックナンバとインデックスナンバの変化するタイミングを監視し（ステップＳ１〜Ｓ７）、トラックナンバ０４の最初のインデックスの再生が始まった時点で、記録部７を制御して記録動作を開始させ、自動的にディジタル音楽信号の録音を再開させる（ステップＳ８）。その後、トラックナンバ０４のトラックの最後のインデックスの再生中にＡＵＴＯ−ＳＴＯＰ  キーを押せば前述と同様にしてコントロール部１１はユーザデータ復調・判別部９から出力されるトラックナンバとインデックスナンバの変化するタイミングを監視し（ステップＳ９〜Ｓ１４）、トラックナンバ０５の最初のインデックスの再生が始まった時点で、コンロトール部１１が記録部７を制御して自動的にディジタル音楽信号の録音を停止させる（ステップＳ１５。図２（１）参照）。
【００２１】
（４）自動録音一時停止と再度の自動録音開始（図２（２）参照）
なお、トラックナンバ０１のトラックのインデックスナンバ０２のインデックスの再生中にＡＵＴＯ−ＲＥＣキーを押し、トラックナンバ０３の先頭から録音を開始させたあと、トラックナンバ０２のトラックの最後のインデックスの再生中にＡＵＴＯ−ＰＡＵＳＥキーを押せば、トラックナンバ０２の最後まで録音が進んだ所で、録音待機状態とさせることができる。すなわち、トラックナンバ０２のトラックの最後のインデックスの再生中にキー操作部１０でＡＵＴＯ−ＰＡＵＳＥキーを押し、自動録音の一時停止を指示する。すると、コントロール部１１は図４のステップＳ２０でＹＥＳと判断し、現在録音中なので、まずチャネルステータス復調・判別部８から出力されているカテゴリー情報がＣＤまたはＭＤかチェックする（ステップＳ２１、Ｓ２３）。ＮＯであれば無視するが、ここではＹＥＳなので、その時点でユーザデータ復調・判別部９から出力されているトラックナンバとインデックスナンバを読み取り、各々内蔵メモリにＴＮＯ（０）、ＩＮＤＥＸ−ＮＯ（０）として書き込み登録する（ステップＳ２４）。
【００２２】
そして、以降、ユーザデータ復調・判別部９から出力されるトラックナンバとインデックスナンバを読み取り、ＴＮＯ（１）、ＩＮＤＥＸ−ＮＯ（１）とする処理と（ステップＳ２５）、ＴＮＯ（０）≠ＴＮＯ（１）かまたはＩＮＤＥＸ−ＮＯ（０）≠ＩＮＤＥＸ−ＮＯ（１）が成立するかチェックする処理を繰り返す（ステップＳ２６）。ＣＤ１のトラックナンバ０２のトラックのインデックスナンバ０３のインデックスの再生中は、ステップＳ２６の条件が成立しないためステップＳ２５、Ｓ２６を繰り返す。
【００２３】
その後、ＣＤ１のトラックナンバ０２のトラックのインデックスナンバ０３のインデックスの再生が終わり、トラックナンバ０３のトラックの最初のインデックスの再生が始まると、ユーザデータ復調・判別部９から出力されるトラックナンバとインデックスナンバがそれぞれ０３と０１に変わるので、コントロール部１１は、ステップＳ２６でＹＥＳと判断し、記録部７を制御して記録動作を一時停止させ、録音一時停止状態（録音待機状態；ＲＥＣ  ＰＡＵＳＥ  ）とする（ステップＳ２７）。これにより、ユーザ所望のトラックの丁度最後の所まで自動的に録音し、次のトラックの先頭部分は入らないようにできる（図２（２）参照）。
【００２４】
このあと、ＣＤ１のトラックナンバ０３のトラックのインデックスナンバ０３のインデックスの再生中に、ＡＵＴＯ−ＰＡＵＳＥキーを再度押せば前述と同様にして、コントロール部１１はユーザデータ復調・判別部９から出力されるトラックナンバとインデックスナンバの変化するタイミングを監視し（ステップＳ２０〜Ｓ２２、Ｓ２８〜Ｓ３１）、トラックナンバ０４の最初のインデックスの再生が始まった時点で、記録部７を制御して一時停止を解除し、自動的にディジタル音楽信号の録音を再開させる（ステップＳ３１、Ｓ３２）。なお、ＡＵＴＯ−ＰＡＵＳＥキーを押す代わりに、ＡＵＴＯ−ＲＥＣキーが押されたときも同様にしてトラックナンバ０４の最初のインデックスの再生が始まった時点で録音を再開させる（図３のステップＳ１、Ｓ２、図４のステップＳ２８〜Ｓ３２）。
【００２５】
（５）自動録音一時停止と通常録音
前述したようにトラックナンバ０２のトラックの最後のインデックスの録音中にＡＵＴＯ−ＰＡＵＳＥキーを押せば、トラックナンバ０２の最後まで録音が進んだ所で、録音一時停止状態とさせることができる。このあとトラックナンバ０４のトラックについては、途中部分だけを録音したい場合、ＲＥＣ  キーとＳＴＯＰキーまたはＰＡＵＳＥ  キーとＳＴＯＰキーにより通常の録音操作をすれば良い。すなわち、ＣＤ１の再生が進み、トラックナンバ０４のトラックの録音を開始したい箇所に来た所で、ＲＥＣ  キーを押すと、コントロール部１１は直ちに記録部７を制御して一時停止を解除し、記録動作を開始させて録音を再開させる（図５のステップＳ４０、Ｓ４３〜Ｓ４５）。その後、トラックナンバ０４のトラックの録音を終了したい箇所まで録音が進んだ所で、ＳＴＯＰキーを押すとコントロール部１１は直ちに記録部７を制御して記録動作を停止させ、録音を停止させる（図５のステップＳ４１、Ｓ４６、Ｓ４７）。録音一時停止状態においてＲＥＣ  キーを押す代わりに、ＰＡＵＳＥ  キーが押されたときも直ぐに記録部７を制御して一時停止を解除し、記録動作を開始させて録音を再開させる（ステップＳ４２、Ｓ４８〜Ｓ５０）。
【００２６】
なお、停止状態でＲＥＣ  キーが押されたときはコントロール部１１は直ちに記録部７を制御して記録動作を開始させ、録音を開始させ（ステップＳ４０、Ｓ４３、Ｓ５１）、録音中にＰＡＵＳＥ  キーが押されたときはコントロール部１１は直ちに記録部７を制御して記録動作を一時停止させる（ステップＳ４２、Ｓ４８、Ｓ５２）。
【００２７】
（６）連続する複数トラックの録音
若し、ＣＤ１のトラックナンバ０３と０４のトラックを続けて録音したい場合、まず、ＣＤプレーヤ２によりＣＤ１のトラックナンバ０２の最後のインデックスを再生させているときに、ＡＵＴＯ−ＲＥＣキーを押す。すると、前述と同様にして、トラックナンバ０３の再生が開始した時点で自動的に録音が開始される（図３のステップＳ１〜Ｓ８）。その後、トラックナンバ０４の最後のインデックスの途中まで録音が進んだ所で、ＡＵＴＯ−ＳＴＯＰ  キー（ＡＵＴＯ−ＰＡＵＳＥ  キー）を押すと、前述と同様にして、トラックナンバ０５の再生が開始した時点で自動的に録音が停止（一時停止）されるので、連続するトラックの正確な録音ができる（図３のステップＳ９〜Ｓ１５（図４のステップＳ２０〜Ｓ２７））。
【００２８】
この実施の形態によれば、ＣＤプレーヤ２から所望トラックの１つ前のトラックの最後のインデックス部分の伝送信号がＭＤレコーダ４に入力されている状態で、ＡＵＴＯ−ＲＥＣキーが押されて自動録音指示操作がされると、コントロール部１１はその後、ユーザデータ復調・判別部９から出力されるトラックナンバとインデックスナンバの変化するタイミングを監視し、所望トラックの最初のインデックスの再生が始まった時点で、記録部７を制御して記録動作を開始させるので、トラックの先頭部分が静かな演奏であっても、曲の開始ポイントから正確に録音させることができる。
また、録音を所望する最後のトラックの最後のインデックス部分の伝送信号がＭＤレコーダ４に入力されている状態で、ＡＵＴＯ−ＳＴＯＰ  キー（ＡＵＴＯ−ＰＡＵＳＥキー）が押されて自動録音停止指示操作（自動録音一時停止操作）がされると、コントロール部１１はその後、ユーザデータ復調・判別部９から出力されるトラックナンバとインデックスナンバの変化するタイミングを監視し、所望トラックの１つ後のトラックの最初のインデックスが始まった時点で、記録部７を制御して記録動作を停止（一時停止）させるので、所望トラックの最後と次のトラックの間の無音部分の期間が短かったり、無音レベルが高かっても、曲の終了ポイントで正確に録音を停止（一時停止）させることができる。
【００２９】
なお、上記した実施の形態では、図３のステップＳ７、Ｓ１４、図４のステップＳ２６、Ｓ３１において、ＴＮＯ（０）≠ＴＮＯ（１）かまたはＩＮＤＥＸ−ＮＯ（０）≠ＩＮＤＥＸ−ＮＯ（１）が成立するかチェックするようにしたが、後者のＩＮＤＥＸ−ＮＯ（０）≠ＩＮＤＥＸ−ＮＯ（１）が成立するかだけチェックするようにしても良い。
また、図３のステップＳ７、図４のステップＳ３１において、ＴＮＯ（０）≠ＴＮＯ（１）が成立するかだけチェックするようにしても良く、このようにすれば、所望トラックの１つ前のトラックの再生中であれば、どこでもＡＵＴＯ−ＲＥＣキーを押せば、次のトラックの再生が丁度開始した時点で正しく録音を開始させることができる。同様に、図３のステップＳ１４、図４のステップＳ２６において、ＴＮＯ（０）≠ＴＮＯ（１）が成立するかだけチェックするようにしても良く、このようにすれば、録音を所望する最後のトラックの再生中であれば、どこでもＡＵＴＯ−ＳＴＯＰ  キー（ＡＵＴＯ−ＰＡＵＳＥキー）を押せば、次のトラックの再生が丁度開始した時点で正しく録音を停止（一時停止）させることができる。
【００３０】
また、上記した実施の形態では、ソース側がＣＤプレーヤの場合を例に挙げて説明したが、本発明は何らこれに限定されず、ＭＤプレーヤ、ＤＶＤプレーヤ、ディジタルＴＶ放送受信機などであっても、トラック単位の音楽信号と、トラックナンバを含む制御信号が所定のフォーマットで伝送される伝送信号を出力したり、トラック単位でかつ各トラックがインデックス単位に分けられた音楽信号と、インデックスナンバを含む制御信号が所定のフォーマットで伝送される伝送信号を出力するときは同様に適用することができる。
また、録音機器としてＭＤレコーダを例に挙げて説明したが、ＤＡＴ、ＤＣＣカセットテープレコーダなどにも同様に適用することができる。
【００３１】
【発明の効果】
本発明によれば、ソース側より所望トラックの１つ前のトラックの部分の伝送信号が入力されている状態で、録音指示操作をすれば、丁度、所望トラックに変わった所から録音を開始させることができ、所望トラックの先頭に静かな演奏部分が存在しても所望トラックの開始ポイントから正しく録音可能となる。また、所望トラックの録音途中で録音停止指示操作（録音一時停止指示操作）をすれば、丁度、所望トラックから次のトラックに変わった所で録音を停止（一時停止）させることができ、所望トラックの最後と次のトラックの間の無音部分の期間が短かったり、無音レベルが高かっても、所望トラックの終了ポイントで正しく録音を停止することが可能となる。
【図面の簡単な説明】
【図１】本発明の一つの実施の形態に係る録音システムの構成を示すブロック図である。
【図２】録音動作の説明図である。
【図３】図１中のコントロール部による録音制御処理を示すフローチャートである。
【図４】図１中のコントロール部による録音制御処理を示すフローチャートである。
【図５】図１中のコントロール部による録音制御処理を示すフローチャートである。
【符号の説明】
１  ＣＤ                          ２  ＣＤプレーヤ
３  ＭＤ                          ４  ＭＤレコーダ
６  ディジタルオーディオインタフェース部
７  記録部                        ８  チャネルステータス復調・判別部
９  ユーザデータ復調・判別部      １０  キー操作部
１１  コントロール部
【図１】
0003614310.tif 000002
【図２】
0003614310.tif 000003
【図３】
0003614310.tif 000004
【図４】
0003614310.tif 000005
【図５】
0003614310.tif 000006